(57)【要約】  １つの態様において、無線通信ネットワークにおけるマルチキャリア動作に対して設定される無線デバイス（５０）は、アイドルモードまたは非アクティブ状態にある間に、１つまたは複数のセルおよび／またはビームおよび／またはキャリアに対する測定を実行する（７０２）。無線デバイスは、測定に基づいて、マルチキャリア動作の確立を支援するための情報を判断し（７０４）、この情報を無線通信ネットワークに送信する（７０６）。ネットワークノードは、セル／ビーム／キャリアについてのこの情報を受信し、受信した情報に基づいて、無線デバイスによるマルチキャリア動作のために１つまたは複数のセル／ビーム／キャリアを選択する。ネットワークノードは、選択されたセル／ビーム／キャリアを使用して、無線デバイスに対するマルチキャリア動作を確立する。【選択図】図７
2020530231.tif 000002
【特許請求の範囲】
【請求項１】
無線通信ネットワークにおけるマルチキャリア動作に対して設定される無線デバイス（５０）における方法であって、
アイドルモードまたは非アクティブ状態にある間に、１つまたは複数のセルおよび／またはビームおよび／またはキャリアに対する測定を実行すること（７０２）と、
前記測定に基づいて、マルチキャリア動作の確立を支援するための情報を判断すること（７０４）と、
前記情報を前記無線通信ネットワークに送信すること（７０６）と
を含む、方法。
【請求項２】
前記情報は、前記セルおよび／またはビームおよび／またはキャリアの１つまたは複数に対する信号レベルおよび／または品質についての測定値を含む、請求項１に記載の方法。
【請求項３】
前記情報を判断すること（７０４）は、条件的に、前記情報において、１つまたは複数の所定の閾値条件を満たす測定値を含むことを含む、請求項２に記載の方法。
【請求項４】
１つまたは複数のセルおよび／またはビームおよび／またはキャリアに対する測定を実行すること（７０２）は、前記無線デバイスが前記アイドルモードまたは前記非アクティブ状態に入る時または入るための命令を受信する時に開始する所定の時間の間、前記測定を行うことを含む、請求項１から３のいずれか一項に記載の方法。
【請求項５】
１つまたは複数のセルおよび／またはビームおよび／またはキャリアに対する測定を実行すること（７０２）は、一定の条件下でのみ前記測定を行い続けることを含み、前記一定の条件は、
前記無線デバイスがアイドルまたは非アクティブになる前に前記無線デバイスが接続された、１つまたは複数のセルのカバレッジ内に前記無線デバイスがあること、
前記無線デバイスがアイドルまたは非アクティブになる前に前記無線デバイスが接続された、１つまたは複数のセルに前記無線デバイスが依然としてキャンプオンしていること、および
前記無線デバイスがアイドルまたは非アクティブになる前に無線デバイスがサーブされた、１つまたは複数のセルの信号が、依然として閾値を満たす信号強度および／または品質レベルを有すること
のうちの１つまたは複数を含む、請求項１から３のいずれか一項に記載の方法。
【請求項６】
接続モードまたはアクティブモードにある間の前記無線通信ネットワークから、アイドルモードまたは非アクティブ状態にある間にどのセルおよび／またはビームおよび／またはキャリアを測定するべきかという指示を受信することをさらに含み、１つまたは複数のセルおよび／またはビームおよび／またはキャリアに対する測定を実行することは、指示された前記セルおよび／または前記キャリアに対する前記測定を行うことを含む、請求項１から５のいずれか一項に記載の方法。
【請求項７】
１つまたは複数のセルおよび／またはビームおよび／またはキャリアに対する測定を実行すること（７０２）は、過去のマルチキャリア動作において使用されたセルおよび／またはビームおよび／またはキャリアに対する前記測定を行うことを含む、請求項１から６のいずれか一項に記載の方法。
【請求項８】
接続確立シグナリングにおける前記情報の送信（７０６）は、１つまたは複数の測定が所定の閾値条件を満たすかどうかの判断が条件付けられている、請求項１から７のいずれか一項に記載の方法。
【請求項９】
前記情報の送信（７０６）は、前記無線通信ネットワークから、前記無線デバイスが接続確立シグナリングにおいて前記情報を送信すべきであるという指示を前記無線デバイスが受信していると判断すると、前記接続確立シグナリングにおいて前記情報を送信することを含む、請求項１から８のいずれか一項に記載の方法。
【請求項１０】
前記情報を送信すること（７０６）は、前記無線通信ネットワークへ接続確立シグナリングにおいて前記情報を送信することを含む、請求項１から９のいずれか一項に記載の方法。
【請求項１１】
前記接続確立シグナリングにおいて前記情報を送信すること（７０６）は、接続要求メッセージまたは接続セットアップ完了メッセージにおいて前記情報を送信することを含む、請求項１０に記載の方法。
【請求項１２】
無線通信ネットワークにおける無線デバイス（５０）のマルチキャリア動作を支援するように設定されるネットワークノード（３０）における方法であって、
前記無線デバイス（５０）から、１つまたは複数のセルおよび／またはビームおよび／またはキャリアについての測定情報を受信すること（１００２）であって、前記測定情報は、アイドルモードまたは非アクティブ状態にある間に前記無線デバイス（５０）によって行われる測定に関連している、測定情報を受信することと、
受信した前記測定情報に基づいて、前記無線デバイス（５０）によるマルチキャリア動作のために１つまたは複数のセルおよび／またはビームおよび／またはキャリアを選択すること（１００４）と、
選択された前記セルおよび／またはビームおよび／またはキャリアを使用して、前記無線デバイス（５０）に対するマルチキャリア動作を確立すること（１００６）と
を含む、方法。
【請求項１３】
前記測定情報の受信の前に前記無線デバイス（５０）に、アイドル状態中および／または非アクティブ状態中にどのセルおよび／またはビームおよび／またはキャリアを測定するべきかという指示を送信することをさらに含む、請求項１２に記載の方法。
【請求項１４】
前記測定情報の受信の前に、前記無線デバイス（５０）に、アイドル状態中および／または非アクティブ状態中に、過去にマルチキャリア動作に使用されたセルおよび／またはビームおよび／またはキャリアに対する測定を実行することの指示を送信することをさらに含む、請求項１２に記載の方法。
【請求項１５】
前記測定情報を受信すること（１００２）は、前記セルおよび／またはビームおよび／またはキャリアの１つまたは複数に対する信号レベルおよび／または品質についての測定値を受信することを含む、請求項１２から１４のいずれか一項に記載の方法。
【請求項１６】
前記測定情報を受信すること（１００２）は、前記無線通信ネットワークへの接続確立シグナリングにおいて前記測定情報を受信することを含む、請求項１２から１４のいずれか一項に記載の方法。
【請求項１７】
前記接続確立シグナリングにおいて前記測定情報を受信すること（１００２）は、接続要求メッセージまたは接続セットアップ完了メッセージにおいて前記測定情報を受信することを含む、請求項１６に記載の方法。
【請求項１８】
無線通信ネットワークにおけるマルチキャリア動作に対して設定される無線デバイス（５０）であって、
アイドルモードまたは非アクティブ状態にある間に、１つまたは複数のセルおよび／またはビームおよび／またはキャリアに対する測定を実行し、
前記測定に基づいて、マルチキャリア動作の確立を支援するための情報を判断し、
前記情報を前記無線通信ネットワークに送信する
ように適合される、無線デバイス（５０）。
【請求項１９】
前記情報は、前記セルおよび／またはビームおよび／またはキャリアの１つまたは複数に対する信号レベルおよび／または品質についての測定値を含む、請求項１８に記載の無線デバイス（５０）。
【請求項２０】
前記無線デバイス（５０）は、条件的に、前記情報において、１つまたは複数の所定の閾値条件を満たす測定値を含むことによって、前記情報を判断するようにさらに適合される、請求項１９に記載の無線デバイス（５０）。
【請求項２１】
前記無線デバイス（５０）は、前記無線デバイスがアイドルモードまたは非アクティブ状態に入る時または入るための命令を受信する時に開始する所定の時間の間、前記測定を行うように適合される、請求項１８から２０のいずれか一項に記載の無線デバイス（５０）。
【請求項２２】
前記無線デバイス（５０）は、一定の条件下でのみ前記測定を行い続けることによって１つまたは複数のセルおよび／またはビームおよび／またはキャリアに対する測定を実行するように適合され、前記一定の条件は、
前記無線デバイス（５０）がアイドルまたは非アクティブになる前に前記無線デバイス（５０）が接続された、１つまたは複数のセルのカバレッジ内に前記無線デバイス（５０）があること、
前記無線デバイス（５０）がアイドルまたは非アクティブになる前に前記無線デバイス（５０）が接続された、１つまたは複数のセルに前記無線デバイス（５０）が依然としてキャンプオンしていること、および
前記無線デバイス（５０）がアイドルまたは非アクティブになる前に前記無線デバイス（５０）がサーブされた１つまたは複数のセルの信号が、依然として閾値を満たす信号強度および／または品質レベルを有すること
のうちの１つまたは複数を含む、請求項１８から２０のいずれか一項に記載の無線デバイス（５０）。
【請求項２３】
前記無線デバイス（５０）は、接続モードまたはアクティブモードにある間に前記無線通信ネットワークから、アイドルモードまたは非アクティブ状態にある間にどのセルおよび／またはビームおよび／またはキャリアを測定するべきかという指示を受信するように、および指示された前記セルおよび／またはキャリアに対する前記測定を行うようにさらに適合される、請求項１８から２０のいずれか一項に記載の無線デバイス（５０）。
【請求項２４】
前記無線デバイス（５０）は、過去のマルチキャリア動作において使用されたセルおよび／またはビームおよび／またはキャリアに対する前記測定を行うことによって、１つまたは複数のセルおよび／またはビームおよび／またはキャリアに対する前記測定を行うように適合される、請求項１８から２３のいずれか一項に記載の無線デバイス（５０）。
【請求項２５】
前記無線デバイス（５０）は、１つまたは複数の測定が所定の閾値条件を満たすかどうかの判断が条件付けられた接続確立シグナリングにおいて前記情報を送信するように適合される、請求項１８から２４のいずれか一項に記載の無線デバイス（５０）。
【請求項２６】
前記無線デバイス（５０）は、前記無線通信ネットワークから、前記無線デバイス（５０）が前記接続確立シグナリングにおいて前記情報を送信すべきであるという指示を前記無線デバイス（５０）が受信しているとの判断時にのみ、前記接続確立シグナリングにおいて前記情報を送信するように適合される、請求項１８から２５のいずれか一項に記載の無線デバイス（５０）。
【請求項２７】
前記無線デバイス（５０）は、前記無線通信ネットワークへ接続確立シグナリングにおいて前記情報を送信するように適合される、請求項１８から２６のいずれか一項に記載の無線デバイス（５０）。
【請求項２８】
前記無線デバイス（５０）は、接続要求メッセージまたは接続セットアップ完了メッセージにおいて前記情報を送信するように適合される、請求項２７に記載の無線デバイス（５０）。
【請求項２９】
無線通信ネットワークにおける無線デバイス（５０）のマルチキャリア動作を支援するように設定されるネットワークノード（３０）であって、
前記無線デバイス（５０）から、１つまたは複数のセルおよび／またはビームおよび／またはキャリアについての測定情報を受信することであって、前記測定情報は、アイドルモードまたは非アクティブ状態にある間に前記無線デバイス（５０）によって行われる測定に関連している、受信すること、
受信した前記測定情報に基づいて、前記無線デバイス（５０）によるマルチキャリア動作のために１つまたは複数のセルおよび／またはビームおよび／またはキャリアを選択すること、および
選択された前記セルおよび／またはビームおよび／またはキャリアを使用して、前記無線デバイス（５０）に対するマルチキャリア動作を確立すること
を行うように適合される、ネットワークノード（３０）。
【請求項３０】
前記ネットワークノード（３０）は、前記測定情報の受信の前に、前記無線デバイス（５０）に、アイドル状態中および／または非アクティブ状態中にどのセルおよび／またはビームおよび／またはキャリアを測定するべきかという指示を送信するように適合される、請求項２９に記載のネットワークノード（３０）。
【請求項３１】
前記ネットワークノード（３０）は、前記測定情報の受信の前に、前記無線デバイス（５０）に、アイドル状態中および／または非アクティブ状態中に、過去にマルチキャリア動作に使用されたセルおよび／またはビームおよび／またはキャリアに対する測定を実行することの指示を送信するように適合される、請求項２９に記載のネットワークノード（３０）。
【請求項３２】
前記ネットワークノード（３０）は、前記セルおよび／またはビームおよび／またはキャリアの１つまたは複数に対する信号レベルおよび／または品質についての測定値を受信することによって、前記測定情報を受信するように適合される、請求項２９から３１のいずれか一項に記載のネットワークノード（３０）。
【請求項３３】
前記ネットワークノード（３０）は、前記無線通信ネットワークへの接続確立シグナリングにおいて前記測定情報を受信することによって前記測定情報を受信するように適合される、請求項２９から３１のいずれか一項に記載のネットワークノード（３０）。
【請求項３４】
前記ネットワークノード（３０）は、接続要求メッセージまたは接続セットアップ完了メッセージにおいて前記測定情報を受信するように適合される、請求項３３に記載のネットワークノード（３０）。
【請求項３５】
命令を含むコンピュータプログラムを含む、コンピュータプログラム製品であって、前記命令は、無線通信ネットワークにおけるマルチキャリア動作に対して設定される無線デバイスのプロセッサ上で実行される時、前記無線デバイスに、
アイドルモードまたは非アクティブ状態にある間に、１つまたは複数のセルおよび／またはビームおよび／またはキャリアに対する測定を実行すること、
前記測定に基づいて、マルチキャリア動作の確立を支援するための情報を判断すること、および、
前記情報を前記無線通信ネットワークに送信すること
を行わせる、コンピュータプログラム製品。
【請求項３６】
命令を含むコンピュータプログラムを含む、コンピュータプログラム製品であって、前記命令は、無線通信ネットワークにおける無線デバイスのマルチキャリア動作を支援するように設定されるネットワークノードのプロセッサ上で実行される時、前記ネットワークノードに、
前記無線デバイスから、１つまたは複数のセルおよび／またはビームおよび／またはキャリアについての測定情報を受信することであって、前記測定情報は、アイドルモードまたは非アクティブ状態にある間に前記無線デバイスによって行われる測定に関連している、受信すること、
受信した前記測定情報に基づいて、前記無線デバイスによるマルチキャリア動作のために１つまたは複数のセルおよび／またはビームおよび／またはキャリアを選択すること、および
選択された前記セルおよび／またはビームおよび／またはキャリアを使用して、前記無線デバイスに対するマルチキャリア動作を確立すること
を行わせる、コンピュータプログラム製品。
【請求項３７】
電子信号、光信号、無線信号、またはコンピュータ可読記憶媒体のうちの１つである、請求項３５または３６に記載のコンピュータプログラムを含有するキャリア。
【発明の詳細な説明】
【技術分野】
【０００１】
本開示は、一般的に、無線通信ネットワークに関し、より詳細には、無線通信ネットワークにおけるマルチキャリア動作に対して設定される無線デバイス、および無線デバイスのマルチキャリア動作を支援するように設定されるネットワークノードに関する。
【背景技術】
【０００２】
第３世代パートナーシッププロジェクト（３ＧＰＰ）によって開発された高度な無線ネットワークでは、マルチキャリア（またはマルチセル）動作を使用して、良好なチャネル条件を有し、かつより高いデータ速度で受信および送信する能力を有するユーザ機器（ＵＥ）に対する１ユーザ当たりのスループットを高めることができる。キャリアアグリゲーション（ＣＡ）は、１つのタイプのマルチキャリア動作であり、この場合、ＵＥは、複数のサービングセルによって、データまたは上位レイヤシグナリングを受信／送信することができる。各サービングセルのキャリアは、一般的に、コンポーネントキャリア（ＣＣ）と呼ばれる。ＣＣのうちの１つは、プライマリコンポーネントキャリア（ＰＣＣ）と表されてよく、残りのＣＣは、セカンダリコンポーネントキャリア（ＳＣＣ）と表される。ＰＣＣ上のまたはこれに関連付けられるサービングセルは、プライマリセル（ＰＣｅｌｌ）またはプライマリサービングセルと呼ばれるのに対し、ＳＣＣ上のおよび／またはこれに関連付けられるサービングセルは、セカンダリセル（ＳＣｅｌｌ）またはセカンダリサービングセルと呼ばれる。少なくともＰＣｅｌｌは、アップリンク方向およびダウンリンク方向の両方に存在する。単一のアップリンクＣＣのみがある場合、ＰＣｅｌｌはそのＣＣ上になければならない。ＣＣは、同じ地理的場所もしくはサイトに共同設置可能であり、または共同設置不可能であり、またはこれらの任意の組み合わせとすることができる。コンポーネントキャリアおよびセルという用語が、ＣＡの文脈で区別なく使用されるときがあることに留意されたい。
【０００３】
アグリゲートされたＣＣの数、および個々のＣＣの帯域幅は、アップリンクとダウンリンクとでは異なっている場合がある。対称的配置は、ダウンリンクおよびアップリンクにおけるＣＣの数が同じである場合を指すのに対し、非対称的配置は、ＣＣの数が異なっている場合を指す。あるセルにおいて設定されるＣＣの数がある端末によって見られるＣＣの数と異なっている場合があることに留意することは重要である。すなわち、端末は、例えば、セルが同じ数のアップリンクおよびダウンリンクＣＣで設定されてもアップリンクＣＣよりもダウンリンクＣＣの方を多くサポートすることができる。
【０００４】
デュアルコネクティビティ（ＤＣ）はＣＡの特殊ケースとして見られる場合があり、ここで、ＵＥにアサインされるＣＣは、異なる基地局サイト（異なるｅＮｏｄｅＢ、ｅＮＢ、またはｇＮＢ）から動作する。例えば、第１のノードはマスタｅＮＢ（ＭｅＮＢ）と称される場合があり、第２のノードはセカンダリｅＮＢ（ＳｅＮＢ）と称される場合がある。ＭｅＮＢのおよび／またはこれに関連付けられたおよび／またはこれによって提供される少なくとも１つのサービングセルは、ＰＣｅｌｌであってよい、ＰＣｅｌｌと呼ばれてよい、および／またはＰＣｅｌｌを表してよく、ＳｅＮＢのおよび／またはこれに関連付けられたおよび／またはこれによって提供される１つのサービングセルは、ＰＳＣｅｌｌであってよい、ＰＳＣｅｌｌと呼ばれてよい、および／またはＰＳＣｅｌｌを表してよい。ＰＣｅｌｌおよびＰＳＣｅｌｌのそれぞれは、アップリンク接続およびダウンリンク接続の両方、ならびに／または少なくとも１つのアップリンクキャリアおよび少なくとも１つのダウンリンクキャリアを提供することができる。ＭｅＮＢによって動作させるサービングセルはマスタセルグループ（ＭＣＧ）に属するのに対し、ＳｅＮＢによって動作させるサービングセルはセカンダリセルグループ（ＳＣＧ）に属する。ＭｅＮＢおよび／またはＳｅＮＢのどちらかにアタッチされる１つまたは複数のセカンダリセル（ＳＣｅｌｌ）があり得、ＳＣｅｌｌについての制御情報は対応するＰＣｅｌｌまたはＰＳＣｅｌｌそれぞれに対して提供されてよい。
【０００５】
マルチキャリア動作において、異なるセルレイヤ上のセルは、（３ＧＰＰ  ＴＳ３６．３０００から）図１〜図５によって示されるような異なるカバレッジを有してよい。図１において、Ｆ１セルおよびＦ２セルは共同設置されかつオーバーレイされることで、ほぼ同じカバレッジが提供される。両方のレイヤは十分なカバレッジを提供し、モビリティは両方のレイヤ上でサポート可能である。起こり得るシナリオは、Ｆ１およびＦ２が２ＧＨｚまたは８００ＭＨｚといった同じ帯域のものである時である。オーバーレイされたＦ１セルとＦ２セルの間でアグリゲーションが可能であることが予想される。
【０００６】
図２において、Ｆ１セルおよびＦ２セルは、共同設置されかつオーバーレイされるが、Ｆ２はパスロスが大きくなることによりカバレッジが小さくなる。Ｆ１はおおよそ連続的なカバレッジを提供する一方、Ｆ２はスループットを改善するために使用される。Ｆ１カバレッジに基づいてモビリティが行われる。この種の配置について起こり得るシナリオは、Ｆ１およびＦ２が異なる帯域を有することである。例えば、Ｆ１＝｛８００ＭＨｚ、２ＧＨｚ｝であり、Ｆ２＝｛３．５ＧＨｚ｝である。オーバーレイされたＦ１セルとＦ２セルとの間でアグリゲーションが可能であることが予想される。
【０００７】
図３において、Ｆ１セルおよびＦ２セルは共同設置されるが、Ｆ２アンテナはＦ１のセル境界に向けられることで、セルエッジのスループットが増大する。Ｆ１はおおよそ連続的なカバレッジを提供するが、Ｆ２は潜在的には、パスロスが大きくなることなどによりホールを有する。モビリティはＦ１カバレッジに基づく。この種の配置において起こり得るシナリオは、Ｆ１およびＦ２が異なる帯域を有することである。例えば、Ｆ１＝｛８００ＭＨｚ、２ＧＨｚ｝であり、Ｆ２＝｛３．５ＧＨｚ｝である。同じｅＮＢのＦ１セルおよびＦ２セルが、カバレッジがオーバーラップする場合にアグリゲートされる可能性があることが予想される。
【０００８】
図４において、Ｆ１はマクロカバレッジを提供する一方で、Ｆ２においてリモート無線ヘッド（ＲＲＨ）を使用してホットスポットにおけるスループットを改善する。Ｆ１カバレッジに基づいてモビリティが行われる。起こり得るシナリオは、Ｆ１およびＦ２が１．７ＧＨｚなど同じ帯域におけるＤＬの非隣接キャリアである時、およびＦ１およびＦ２が異なる帯域を有する時の両方である。例えば、Ｆ１＝｛８００ＭＨｚ、２ＧＨｚ｝であり、Ｆ２＝｛３．５ＧＨｚ｝である。Ｆ２  ＲＲＨセルが基礎を成すＦ１マクロセルでアグリゲートされ得ることが予想される。これは図２におけるシナリオと同様であるが、カバレッジがキャリア周波数のうちの１つに対して拡張されるように周波数選択リピータが配置されている。同じｅＮＢのＦ１セルおよびＦ２セルが、カバレッジがオーバーラップする場合にアグリゲートされる可能性があることが予想される。
【０００９】
アイドルモードにある時、ＵＥはキャリア（レイヤ）におけるセルにキャンプオンする。ＣＡまたはＤＣなどのマルチキャリア動作を使用する接続モードにある時、ＵＥはそれぞれの周波数レイヤ上の１つのセルを介して通信している。しかしながら、現在のマルチキャリアフレームワークは、遅延の観点から、特に、ＳＣｅｌｌ設定およびアクティブ化の場合のＣＡにとって、最適ではない。遅延によって、特に、小さなセル配置において、無線リソースおよびＣＡ利用の効率が低減する。ＣＡと併せた多数の小さなセルの効率を管理することは、異なるキャリア上の配置された小さなセルに数が増大することが予想されるため、困難なものになる。従って、現在のＣＡフレームワークにはさらなるレイテンシが追加され、これによってさらにまた、ＣＡの利用が限定され、ＣＡが潜在的に提供し得るオフロードゲインが低減する。例えば、ＳＣｅｌｌを設定しアクティブ化する際に顕著なレイテンシがある場合、ＳＣｅｌｌがアクティブ化される前に、送信に利用可能なデータが既にＰＣｅｌｌによってサーブされることがあり得る。ＤＣフレームワークは、ＣＡフレームワークと同様の制約を有し、遅延およびシグナリングオーバーヘッドを低減させることはまたＤＣにとって重要である。
【００１０】
ＳＣｅｌｌのブラインド設定は、シグナリグオーバーヘッドおよび遅延を低減するための１つの代替策であり得るが、ブラインド設定は実際的に、共同設置されたセルのみに限定されるため、ＣＡ動作に対するレイテンシを低減するための全般的な解決策として使用できない。ブラインド設定を全ての配置シナリオに拡張することは、ＳＣｅｌｌを無分別に設定する前のＵＥのセル検出および測定の欠如により、実現可能には思われないし実際面での助けにさえならない。ブラインド設定シグナリング後のセル検出および測定は、大幅なさらなる遅延を発生させることになる。
【００１１】
Ｅ−ＵＴＲＡＮ  ＣＡおよびＤＣの効率的な使用の際に見られる課題は、例えば、ＤＣがロングタームエボリューション（ＬＴＥ）および新無線（ＮＲ）アクセス技術の間で利用可能である、今後のＬＴＥマルチキャリア使用事例に等しく当てはまる。
【発明の概要】
【００１２】
本発明の実施形態によって、より効率的なマルチキャリア動作およびより速いマルチキャリアの確立のセットアップ時間を可能にするような改良がなされる。アイドルモードからの、複数のセルによるマルチキャリア動作を確立するために必要とされる時間の短縮によって、ＬＴＥおよびＮＲ配置におけるＵＥに対してより早くビット速度が上げられることになる。例えば、ネットワークは、接続確立時に、特定のＵＥにとって、このＵＥが他のキャリア上のセルのカバレッジ内にある時などにマルチキャリア動作が可能であるかを判定することが可能になる。
【００１３】
場合によっては、ＵＥは、接続確立時にセル／ビーム／キャリア測定情報をネットワークに提供することになるため、ネットワークは、この情報を使用して、ＵＥに十分なカバレッジを提供するマルチキャリア動作のためのセルおよび／またはビームおよび／またはキャリアを選択することができる。例えば、いくつかの実施形態によると、無線通信ネットワークにおけるマルチキャリア動作に対して設定される無線デバイスにおける方法は、アイドルモードまたは非アクティブ状態にある間に、１つまたは複数のセルおよび／またはビームおよび／またはキャリアに対する測定を実行することを含む。方法はまた、測定に基づいて、マルチキャリア動作の確立を支援するための情報を判断することと、この情報を無線通信ネットワークに送信することとを含む。
【００１４】
いくつかの実施形態によると、無線通信ネットワークにおける無線デバイスのマルチキャリア動作を支援するように設定されるネットワークノードにおける方法は、無線デバイスから、１つまたは複数のセルおよび／またはビームおよび／またはキャリアについての測定情報を受信することを含む。方法は、受信した測定情報に基づいて、無線デバイスによるマルチキャリア動作に対して１つまたは複数のセルおよび／またはビームおよび／またはキャリアを選択することも含む。方法は、選択されたセルおよび／またはビームおよび／またはキャリアを使用して、無線デバイスに対するマルチキャリア動作を確立することをさらに含む。
【００１５】
他の事例では、ＵＥまたはネットワークは、より速いマルチキャリア通信において使用されるセル／ビーム／キャリアについての情報を格納後、これをその後の接続試行時に再利用する。例えば、いくつかの実施形態によると、無線通信ネットワークにおけるマルチキャリア動作に対して設定される無線デバイスにおける方法は、マルチキャリア動作に使用される１つまたは複数のセルおよび／またはビームおよび／またはキャリアについての情報を格納することと、アイドルモードまたは非アクティブ状態になった後の接続確立時に、過去にマルチキャリア動作に使用された１つまたは複数のセルおよび／またはビームおよび／またはキャリアが無線デバイスに利用可能であることを判断することとを含む。方法はまた、１つまたは複数のセルおよび／またはビームおよび／またはキャリアがマルチキャリア動作のために無線デバイスに対して再び利用可能であるという指示を送信することを含む。
【００１６】
いくつかの実施形態によると、無線通信ネットワークにおいてマルチキャリア動作をサポートするように設定されるネットワークノードにおける方法は、無線デバイスによる接続確立時に、無線デバイスがマルチキャリア動作の間にネットワークノードに過去に接続されたことを判断することを含む。方法は、この判断に応答して、マルチキャリア動作による無線デバイスの過去の動作に関連する格納した情報を使用して、マルチキャリア動作に対して無線デバイスを設定するために１つまたは複数のセルおよび／またはビームおよび／またはキャリアを特定することも含む。
【００１７】
いくつかの実施形態によると、無線通信ネットワークにおけるマルチキャリア動作に対して設定される無線デバイスは、マルチキャリア通信のために設定される送受信回路構成と、送受信回路構成と動作可能に関連付けられる処理回路構成とを含む。処理回路構成は、アイドルモードまたは非アクティブ状態にある間に、１つまたは複数のセルおよび／またはビームおよび／またはキャリアに対する測定を実行するように、および、この測定に基づいて、マルチキャリア動作の確立を支援するための情報を判断するように設定される。処理回路構成は、この情報を無線通信ネットワークに送信するように設定される。
【００１８】
いくつかの実施形態によると、無線通信ネットワークにおける無線デバイスのマルチキャリア動作を支援するように設定されるネットワークノードは、マルチキャリア動作において無線デバイスと通信するように設定される送受信回路構成と、送受信回路構成と動作可能に関連付けられる処理回路構成とを含む。処理回路構成は、無線デバイスから、１つまたは複数のセルおよび／またはビームおよび／またはキャリアについての測定情報を受信するように、および受信した測定情報に基づいて、無線デバイスによるマルチキャリア動作のために１つまたは複数のセルおよび／またはビームおよび／またはキャリアを選択するように設定される。処理回路構成は、選択されたセルおよび／またはビームおよび／またはキャリアを使用して無線デバイスに対するマルチキャリア動作を確立するように設定される。
【００１９】
いくつかの実施形態によると、無線通信ネットワークにおけるマルチキャリア動作に対して設定される無線デバイスは、マルチキャリア通信に対して設定される送受信回路構成と、送受信回路構成と動作可能に関連付けられる処理回路構成とを含む。処理回路構成は、マルチキャリア動作に使用される１つまたは複数のセルおよび／またはビームおよび／またはキャリアについての情報を格納するように、およびアイドルモードまたは非アクティブ状態になった後の接続確立時に、過去にマルチキャリア動作に使用された１つまたは複数のセルおよび／またはビームおよび／またはキャリアが無線デバイスに利用可能であることを判断するように設定される。処理回路構成は、１つまたは複数のセルおよび／またはビームおよび／またはキャリアがマルチキャリア動作のために無線デバイスに対して再び利用可能であるという指示を送信するように設定される。
【００２０】
いくつかの実施形態によると、無線通信ネットワークにおいてマルチキャリア動作をサポートするように設定されるネットワークノードは、マルチキャリア動作において無線デバイスと通信するように設定される送受信回路構成と、送受信回路構成と動作可能に関連付けられる処理回路構成とを含む。処理回路構成は、無線デバイスによる接続確立時に、無線デバイスがマルチキャリア動作の間にネットワークノードに過去に接続されたことを判断するように設定される。処理回路構成は、この判断に応答して、マルチキャリア動作による無線デバイスの過去の動作に関連する格納した情報を使用して、マルチキャリア動作に対して無線デバイスを設定するために１つまたは複数のセルおよび／またはビームおよび／またはキャリアを特定するように設定される。
【００２１】
他の実施形態は、上述される方法を実行する、装置、無線デバイス、コンピュータプログラム製品、コンピュータ可読媒体、および機能モジュール実装形態を含む。
【図面の簡単な説明】
【００２２】
【図１】ほぼ同じカバレッジを提供する、共同設置されかつオーバーレイされたセルを示す図である。
【図２】共同設置されかつオーバーレイされたセルにおいて、１つのセルが、パスロスが大きくなることによりカバレッジが小さくなっていることを示す図である。
【図３】共同設置されたセルにおいて、１つのセルのアンテナが別のセルのセル境界に向けられていることを示す図である。
【図４】ＲＲＵがホットスポットを改善するために使用されているマクロカバレッジセルを示す図である。
【図５】共同設置されかつオーバーレイされたセルにおいて、１つのセルが、パスロスが大きくなることによりカバレッジが小さくなっており、キャリア周波数に対してカバレッジを拡張するために周波数選択リピータが配置されていることを示す図である。
【図６】いくつかの実施形態による無線デバイスのブロック図である。
【図７】いくつかの実施形態による、無線デバイスにおいて実行される方法を示すプロセスフロー図である。
【図８】いくつかの実施形態によるネットワークノードのブロック図である。
【図９】いくつかの実施形態による、ネットワークノードにおいて実行される方法を示すプロセスフロー図である。
【図１０】いくつかの実施形態による、無線デバイスにおいて実行される別の方法を示すプロセスフロー図である。
【図１１】いくつかの実施形態による、ネットワークノードにおいて実行される別の方法を示すプロセスフロー図である。
【図１２】いくつかの実施形態による、無線デバイスの機能的な実装形態の例を示す図である。
【図１３】いくつかの実施形態による、無線デバイスの機能的な実装形態の別の例を示す図である。
【図１４】いくつかの実施形態による、ネットワークノードの機能的な実装形態の例を示す図である。
【図１５】いくつかの実施形態による、ネットワークノードの機能的な実装形態の別の例を示す図である。
【図１６】いくつかの実施形態による、ネットワークノードの機能的な実装形態を示す図である。
【発明を実施するための形態】
【００２３】
本発明の実施形態では、ＵＥはより速いマルチキャリアの確立のために測定情報によってネットワークを支援する。図６は、無線デバイス５０として示されるＵＥなどの例を示す。無線デバイス５０は、ネットワークにおいて動作してよく、無線信号にわたって、ネットワークノードまたは別の無線デバイスと通信可能である任意の無線デバイスを表すことができる。無線デバイス５０はまた、さまざまな文脈において、無線通信ネットワーク、対象デバイス、デバイス間（Ｄ２Ｄ）ＵＥ、マシン型ＵＥまたはマシンツーマシン（Ｍ２Ｍ）通信対応ＵＥ、センサ装備ＵＥ、ＰＤＡ（携帯情報端末）、無線タブレット、携帯端末、スマートフォン、ラップトップ埋め込み機器（ＬＥＥ）、ラップトップ搭載機器（ＬＭＥ）、無線ＵＳＢドングル、宅内機器（ＣＰＥ）などと称される場合がある。
【００２４】
無線デバイス５０は、アンテナ５４および送受信回路５６を介して１つもしくは複数の無線ノードまたは基地局と通信する。送受信回路５６は、送信回路と、受信回路と、セルラー通信サービスを提供する目的で、無線アクセス技術に従って信号を送受信するように集合的に設定された関連の制御回路とを含んでよい。
【００２５】
無線デバイス５０はまた、無線送受信回路５６と動作可能に関連付けられ、これを制御する１つまたは複数の処理回路５２を含む。処理回路構成５２は、１つまたは複数のデジタルプロセッサ６２、例えば、１つもしくは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはこれらの任意の混合を含む。より一般的には、処理回路構成５２は、固定回路構成、または本明細書で教示される機能性を果たすプログラム命令の実行によって特別に適合されたプログラマブル回路構成を含んでよい、または固定の回路構成およびプログラムされた回路構成の何らかの混合を含んでよい。処理回路構成５２はマルチコアであってよい。
【００２６】
処理回路構成５２はメモリ６４も含む。メモリ６４は、いくつかの実施形態では、１つまたは複数のコンピュータプログラム６６、およびオプションとして設定データ６８を格納する。メモリ６４は、コンピュータプログラム６６を非一時的に格納し、ディスク記憶装置、固体メモリ記憶装置、またはこれらの任意の混合など、１つまたは複数のタイプのコンピュータ可読媒体を含んでよい。非限定的な例として、メモリ６４は、処理回路構成５２内にあってよい、および／または処理回路構成５２と別個であってよい、ＳＲＡＭ、ＤＲＡＭ、ＥＥＰＲＯＭ、およびフラッシュメモリのうちの任意の１つまたは複数を含む。一般に、メモリ６４は、無線デバイス５０によって使用されるコンピュータプログラム６６および任意の設定データ６８を非一時的に格納する１つまたは複数のタイプのコンピュータ可読記憶媒体を含む。ここで、「非一時的」は、永久的、半永久的、または少なくとも一時的に持続する記憶装置を意味し、例えば、プログラム実行のための、不揮発性メモリにおける長期記憶装置、および作業メモリにおける記憶装置両方を包含する。
【００２７】
無線デバイス５０の処理回路構成５２は、ネットワークが無線通信ネットワークにおいてマルチキャリア動作を確立することを支援するように設定される。処理回路構成５２は、アイドルモードまたは非アクティブ状態にある間に、１つまたは複数のセルおよび／またはビームおよび／またはキャリアに対する測定を実行するように設定される。処理回路構成５２はまた、測定に基づいてマルチキャリア動作の確立を支援するための情報を判断するように、およびこの情報を無線通信ネットワークに送信するように設定される。
【００２８】
物理的な実装形態に関係なく、処理回路構成５２は、図７に示される方法７００といった、ネットワークがマルチキャリア動作を確立することを支援するための方法を実行するように構成される。この方法７００は、アイドルモードまたは非アクティブ状態にある間に、１つまたは複数のセルおよび／またはビームおよび／またはキャリアに対する測定を実行すること（ブロック７０２）と、測定に基づいてマルチキャリア動作の確立を支援するための情報を判断すること（ブロック７０４）とを含む。方法７００はまた、情報を無線通信ネットワークに送信すること（ブロック７０６）を含む。情報は、セルおよび／またはビームおよび／またはキャリアの１つまたは複数に対する信号レベルおよび／または品質についての測定値を含んでよい。情報を判断することは、条件的に、情報において、１つまたは複数の所定の閾値条件を満たす測定値を含むことを含んでよい。これによって、マルチキャリア動作に適さないまたは使用される可能性が低いセル、ビーム、またはキャリアの値の送信が回避されることは理解されるであろう。
【００２９】
いくつかの実施形態では、無線デバイス５０は、バッテリ電源を節約するために、一定の条件のみでこのような測定を判断してよい。例えば、１つまたは複数のセルおよび／またはビームおよび／またはキャリアに対する測定は、無線デバイスがアイドルモードまたは非アクティブ状態に入る時または入るための命令を受信する時に開始する所定の時間の間行われてよい。測定は一定の条件下で行われてもよい。これらの条件は、無線デバイスがアイドルまたは非アクティブになる前に無線デバイスが接続された１つまたは複数のセルのカバレッジ内に無線デバイスがあること、無線デバイスがアイドルまたは非アクティブになる前に無線デバイスが接続された１つまたは複数のセルに無線デバイスが依然としてキャンプオンしていること、または無線デバイスがアイドルまたは非アクティブになる前に無線デバイスがサーブされた１つまたは複数のセルの信号が依然として閾値を満たす信号強度および／または品質レベルを有することを含んでよい。これらの条件によって、無線デバイスが、不必要な測定を行うこと、または近傍にありそうにないセルまたはビームを検索することを防止することができる。
【００３０】
方法７００は、接続モードまたはアクティブモードにある間の無線通信ネットワークから、アイドルモードまたは非アクティブ状態にある間にどのセルおよび／またはビームおよび／またはキャリアを測定するべきかという指示を受信することを含み、測定は、指示されたセルおよび／またはキャリアに対して行われてよい。測定は、過去のマルチキャリア動作において使用されたセルおよび／またはビームおよび／またはキャリアに対して行われてよい。
【００３１】
場合によっては、接続確立シグナリングにおける情報の送信は、１つまたは複数の測定が所定の閾値条件を満たすかどうかの判断が条件付けられている。さらには、これによって、役に立たない情報の送信が回避可能である。他の事例では、接続確立シグナリングにおける情報は、無線通信ネットワークから、無線デバイスが接続確立シグナリングにおいて情報を送信すべきであるという指示を無線デバイスが受信しているとの判断時にのみ送信される。
【００３２】
情報は、無線通信ネットワークへの接続確立シグナリングにおいて送信されてよい。これは、接続要求メッセージまたは接続セットアップ完了メッセージにおける送信を含んでよい。
【００３３】
無線デバイス５０について上記に言及される技法は、マルチキャリア動作の確立時に１つまたは複数のネットワークノード（例えば、基地局、ｅＮｏｄｅＢ、またはｅＮＢ）を支援するために使用可能である。このようなネットワークノードは図９に示されるネットワークノード３０によって表される。ネットワークノード３０は、無線デバイス間、場合によってこれらとコアネットワークとの間の通信を容易にする。ネットワークノード３０は例えば、無線通信システムと、該システムにおいて動作する１つまたは複数の無線デバイスとの間の無線リンク接続性を提供する１つまたは複数の無線ネットワークノードを含む。本明細書において、ネットワークノードの判断は、個々のノードで行われてよい、２つ以上のノードの間で協働して行われてよい、または少なくとも部分的に分散されるように行われてよい。例えば、処理の一定の態様は、集中型ノードにおいて、またはクラウドベースのネットワークノードにおいても実施可能である。
【００３４】
ネットワークノード３０は、アンテナ３４および送受信回路構成３６を介して無線デバイスと通信する。送受信回路構成３６は、送信回路構成と、受信回路構成と、無線デバイスを無線通信システムに通信可能に結合させる目的で、無線アクセス技術に従って信号を送受信するように集合的に設定された関連の制御回路とを含む。例示のネットワークノード３０は、無線通信システムにおいて他のノード３０および／または他のタイプのノードと通信するための回路構成を含む通信インターフェース回路構成３８を含んでよい。
【００３５】
ネットワークノード３０はまた、通信インターフェース回路３８および送受信回路構成３６と動作可能に関連付けられる処理回路構成３２を含む。処理回路構成３２は、１つまたは複数のデジタルプロセッサ４２、例えば、１つもしくは複数のマイクロプロセッサ、マイクロコントローラ、ＤＳＰ、ＦＰＧＡ、ＣＰＬＤ、ＡＳＩＣ、またはこれらの任意の混合を含む。より一般的には、処理回路構成３２は、固定回路構成、および／または本明細書で教示される機能性を果たすプログラム命令の実行によって特別に設定されるプログラマブル回路構成を含んでよい。
【００３６】
少なくともいくつかの実施形態において、処理回路構成３２はメモリ４４を含む、またはこれと関連付けられる。メモリ４４は、いくつかの実施形態では、１つまたは複数のコンピュータプログラム４６、およびオプションとして設定データ４８を格納する。メモリ４４は、コンピュータプログラム４６を非一時的に格納し、ディスク記憶装置、固体メモリ記憶装置、またはこれらの任意の混合など、１つまたは複数のタイプのコンピュータ可読媒体を含んでよい。非限定的な例として、メモリ４４は、処理回路構成３２内にあってよい、および／または処理回路構成３２と別個であってよい、ＳＲＡＭ、ＤＲＡＭ、ＥＥＰＲＯＭ、およびフラッシュメモリのうちの任意の１つまたは複数を含む。一般に、メモリ４４は、ノード３０によって使用されるコンピュータプログラム４６および任意の設定データ４８を非一時的に格納する１つまたは複数のタイプのコンピュータ可読記憶媒体を含む。
【００３７】
いくつかの実施形態では、処理回路構成３２のプロセッサ４２は、プロセッサ４２が、マルチキャリア動作を確立するために無線デバイスからの使用情報を支援するように設定する、メモリ４４に格納されるコンピュータプログラム４６を実行してよい。処理回路構成３２は、無線デバイスから、１つまたは複数のセルおよび／またはビームおよび／またはキャリアについての測定情報を受信するように設定される。処理回路構成３２はまた、受信した測定情報に基づいて、無線デバイスによるマルチキャリア動作に対して１つまたは複数のセルおよび／またはビームおよび／またはキャリアを選択するように設定される。処理回路構成３２は、選択されたセルおよび／またはビームおよび／またはキャリアを使用して無線デバイスに対するマルチキャリア動作を確立するようにさらに設定される。
【００３８】
この特定の実装形態に関係なく、処理回路構成３２は、図１０に示される方法１０００といった方法を実行するように設定される。方法１０００は、無線デバイスから、１つまたは複数のセルおよび／またはビームおよび／またはキャリアについての測定情報を受信すること（ブロック１００２）と、受信した測定情報に基づいて、無線デバイスによるマルチキャリア動作に対して１つまたは複数のセルおよび／またはビームおよび／またはキャリアを選択すること（ブロック１００４）とを含む。方法１０００は、選択されたセルおよび／またはビームおよび／またはキャリアを使用して無線デバイスに対するマルチキャリア動作を確立すること（ブロック１００６）も含む。
【００３９】
方法１０００は、測定情報の受信の前に、無線デバイスに、アイドル状態中および／または非アクティブ状態中に測定するためのセルおよび／またはビームおよび／またはキャリアはどれか、または過去にマルチキャリア動作に使用されたセルおよび／またはビームおよび／またはキャリアに対する測定の指示を送信することを含んでよい。
【００４０】
方法１０００は、無線通信ネットワークへの接続確立シグナリングにおいて測定情報を受信することを含んでよい。これは、接続要求メッセージまたは接続セットアップ完了メッセージに含まれてよい。
【００４１】
無線デバイス５０およびネットワークノード３０はまた、過去のマルチキャリア動作についての情報に頼ってよい。例えば、無線デバイス５０の処理回路構成５２は、図１１に示されるように、別の方法１１００を実行するように設定されてよい。方法１１００は、マルチキャリア動作に使用される１つまたは複数のセルおよび／またはビームおよび／またはキャリアについての情報を格納すること（ブロック１１０２）と、アイドルモードまたは非アクティブ状態になった後の接続確立時に、過去にマルチキャリア動作に使用された１つまたは複数のセルおよび／またはビームおよび／またはキャリアが無線デバイス５０に利用可能であることを判断すること（ブロック１１０４）とを含む。方法１１００はまた、１つまたは複数のセルおよび／またはビームおよび／またはキャリアがマルチキャリア動作のために無線デバイス５０に対して利用可能であるという指示を送信すること（ブロック１１０６）を含んでよい。
【００４２】
同様に、ネットワークノード３０の処理回路構成３２は、図１２に示されるように、別の方法１２００を実行するように設定されてよい。方法１２００は、無線デバイスによる接続確立時に、無線デバイスがマルチキャリア動作の間にネットワークノードに過去に接続されたことを判断すること（ブロック１２０２）と、この判断に応答して、マルチキャリア動作による無線デバイスの過去の動作に関連する格納した情報を使用して、マルチキャリア動作に対して無線デバイスを設定するために１つまたは複数のセルおよび／またはビームおよび／またはキャリアを特定すること（ブロック１２０４）とを含む。
【００４３】
方法１２００は、特定された１つまたは複数のセルおよび／またはビームおよび／またはキャリアを使用してマルチキャリア動作に対して無線デバイスを設定することを含んでよい。いくつかの実施形態では、これは、特定された１つまたは複数のセルおよび／またはビームおよび／またはキャリアが無線デバイスのマルチキャリア動作に利用可能であるという指示を無線デバイスから受信することに応答するものである。それと同時に、無線デバイスは、ＵＥがアイドルモードにあるまたはアイドルモードから遷移する時、セルの測定を行う。しかしながら、別段記されていない限り、本明細書に説明される実施形態が、無線デバイスが、他の状態、例えば、中断状態、休止状態、非アクティブ状態などにある時、使用可能であることは理解されるべきである。
【００４４】
また、ＵＥが１つの例においてセルを測定している間、ＵＥはまた、周波数、ビーム、キャリア、参照信号などを測定してよい。一定の実施形態において、ＵＥがアイドルモードにある時に一定のセルを測定する時、これは、ＵＥが、少なくとも、マルチセル確立の支援のためにネットワークに提供するための情報を判断する目的で、他のセルを測定することはないことを意味すると解釈されてよい。
【００４５】
ＵＥは、セル、ビーム、またはキャリア（周波数）の一定のタイプの測定を行うことができる。実際、ＵＥは、一定の目的のために一定のタイプの測定を行うことができる。例えば、ＵＥは、セルを加えるおよび除去する目的でセルのグループに対する１つのタイプの測定を行ってよい。しかしながら、ＵＥは、位置決め、セル再選択などの他の目的で他のセルの他のタイプの測定を行ってよい。
【００４６】
図８は、ＣＡまたはＤＣの文脈での３ＧＰＰ  ＬＴＥ無線リソース制御（ＲＲＣ）シグナリングおよびメッセージを使用する、方法７００および１０００について先に説明した原理のより詳細な例を示す。ＬＴＥはこの例で使用されることになるが、方法は、３ＧＰＰ  ＮＲなどの他の無線アクセス技術（ＲＡＴ）に適用可能である。
【００４７】
図８の例では、ＵＥは、アイドルモードにある時、ＣＡ／ＤＣ確立の支援の目的でキャリアおよびセルを監視する。ｅＮＢへの接続要求メッセージおよびｅＮＢからの接続セットアップメッセージの後に、ＵＥは、ＣＡ／ＤＣ確立支援についての情報をｅＮＢに送る。場合によっては、支援情報は接続要求メッセージにおいて送られる。
【００４８】
ｅＮＢはさらにまた、情報を使用して、ＣＡ／ＤＣ動作に対するセルおよび周波数を含む、無線デバイスに対するＣＡ／ＤＣ設定を確立する。従って、ＵＥが接続モードに入る時、データ通信は、接続モードに入る際にＣＡ／ＤＣ判断を行う必要なく即座にＣＡ／ＤＣモードで開始することができる。これは、ＣＡ／ＤＣ動作がかなり早くなることによってデータ速度を高めることができるという点で有利である。
【００４９】
接続の解除時に、ｅＮＢは、監視するための周波数またはキャリアのリストをＵＥに指示してもよい。この監視は、指示されたセルおよび周波数またはキャリアからの信号の信号強度および品質を測定することを含んでよい。これらの測定は、ＵＥによって監視される周波数での最良のセルに対して行われてよい。ｅＮＢからの指示は、監視または測定はどのくらい行われるのかについて含んでよい。
【００５０】
既存のネットワーク配置において、ＵＥは、アイドルモードのセル再選択の目的で、キャンプオンするセルの周波数以外の他の周波数での他のセルに対する測定を実行していてよい。これらの他の周波数は典型的には、システム情報（ブロードキャスト）メッセージを介してＵＥに通信される。１つの実施形態では、ＵＥは、アイドルモードのセル再選択の目的でまたＵＥに提供される周波数についての測定情報をｅＮＢに提供する。
【００５１】
別の実施形態では、システム情報ブロードキャストメッセージは、マルチキャリアの確立の支援の目的でＵＥによって報告される（およびセルの再選択に使用されない）ことが具体的に意図される周波数を指示するように拡張される。
【００５２】
いくつかの実施形態では、ＵＥは（マルチキャリア動作から解除されてアイドルモードになった後に）過去のマルチキャリア動作の時に使用されたのと同じキャリアを監視する。他の実施形態では、ネットワークノードは、具体的には、どの周波数がマルチキャリアの確立の支援のためにＵＥによって監視されるものとするのかをメッセージにおいて（例えば、ＵＥをアイドルモードへと解除するメッセージにおいて）ＵＥに指示する。
【００５３】
ＵＥが、接続確立シグナリングにおいてマルチキャリアの確立の支援のための情報を提供する時、この情報は、条件的にＵＥによって含まれてよい。このような条件は、セル信号レベルが一定の閾値を上回る場合を含んでよい。ｅＮＢはまた、これらの閾値を監視するための周波数と共にＵＥに通信してよい。
【００５４】
この例におけるＵＥのプロビジョニングは、ブロードキャストシグナリングまたは専用シグナリングで提供されるネットワーク情報を条件とし得る。ＵＥは、ＵＥが指示をネットワークに送るべきであるかどうかを判断する時にネットワークからの専用シグナリングおよびブロードキャストシグナリング両方を考慮してよい。いくつかの実施形態では、ＵＥは、ＵＥがネットワークに指示を提供するものとすること、および、ネットワークが、ＵＥが指示をネットワークに提供するものとするという指示をブロードキャストすることの両方の指示を、ＵＥが接続モードで受信した場合にのみ、指示を送ってよい。これは、ＵＥが異なるセル間で移動してよい時のシナリオにおいて有益である。例えば、ＵＥはセルＡで開始してよい。セルＡに接続される時、セルＡと関連付けられるネットワークエンティティ（例えば、セルＡをサービングするｅＮＢ）は、ＵＥがアイドルモードから接続モードに移り、ＵＥがセルＡに接続されるようになる場合、ＵＥが指示を提供するものとすることを指示する。しかしながら、さらにまた、ＵＥはセルＢに移り、セルＢはこのような指示を受信することをサポートしない恐れがあるため、ＵＥが指示をセルＢに送ることは望まれない場合がある。しかしながら、この実施形態が適用され、ＵＥが専用シグナリングおよびブロードキャストシグナリング両方を考慮する場合、ＵＥは、セルＢと関連付けられたネットワークノードによって要求されるまたは予想される場合にのみ指示をセルに送ることになる。
【００５５】
マルチキャリアの確立の支援のための周波数を監視するためにこの例においてＵＥに対して一定の条件があってよい。１つの実施形態では、ＵＥはマルチキャリアの確立の支援のための周波数を監視する時間分を考慮する。ＵＥは、ＵＥがアイドルモードに入る（または、ＵＥがアイドルモードに入るものとするメッセージを受信する）時にタイマーを開始してよい。
【００５６】
これには、ＵＥがマルチキャリア動作に再び入ることになる可能性がない時にタイマーを長くして他の周波数を監視しないことによってＵＥのバッテリを節約するという主要な利点がある。これについての根本的な理由は、ＵＥが、例えば、あるデータをダウンロード後、より多くのデータをダウンロードする前にそのデータを処理するという意味で、何らかのトラフィックがバーストパターンを有することである。これは、一定のビデオサービスの事例となるものであり、この場合、ビデオの第１の部分はダウンロードされ、ビデオの次の部分がダウンロードされる前に一定の時間再生し始める。そのため、その時間分が正確に設定される場合、ＵＥが２つの後続の接続時間の間に測定し続けるようにすることが可能であってよい。しかしながら、ビデオが終了した場合、ＵＥは、ビデオが終了した後の一定の時間後に測定を停止することができる。
【００５７】
（ネットワークによって設定される、仕様で指定される、またはＵＥ自体によって判断される）ＵＥにおける適切なタイマー設定によって、ＵＥは、ＵＥが再びマルチキャリア動作に入る可能性が低い時にマルチキャリアの確立の支援のために他の周波数を監視または測定しないことになる。場合によっては、ＵＥは、一定の条件が満たされる場合アイドルモードで測定し続ける、または条件がもはや満たされない時に測定を停止することになる。条件の１つの例は、ＵＥが、アイドルモードになる前に接続されたセルのカバレッジにあることである。例えば、ＵＥが接続モードになった後にアイドルモードに移る時にＵＥが（ＵＥのプライマリセルであってよい）セルＡによってサーブされた場合、ＵＥはさらにまた、ＵＥがもはやセルＡのカバレッジにない場合測定を停止することが考えられる。
【００５８】
条件の別の例は、ＵＥがアイドルモードになる前に接続されたセルにＵＥがキャンプオンしていることである。例えば、ＵＥがセルＡによってサーブされた場合、ＵＥがもはやセルにキャンプオンしていない場合ＵＥは測定を停止してよい。別の可能性は、セルＡが、信号強度および／または信号品質が一定の閾値を上回るといった一定の要件を満たすことである。閾値は、ｅＮＢによって設定されてよい、または仕様で指定されてよい。
【００５９】
上記に基づいて、条件がもはや満たされなかったためＵＥがセルの測定を停止した場合、ＵＥは、条件が再び満たされるようになる場合に測定を再開することができる。ＵＥが測定を再開するかどうかは、ＵＥが測定を停止してからどれくらい経っているかに関して制約される場合がある。例えば、ＵＥは、所定の時間前に測定を停止した場合にのみ測定を再開することができる。その他の場合、ＵＥは測定を再開することはない。
【００６０】
ＵＥが、接続モードにある時にセルによって「サーブ」されることは留意されたい。ＵＥが「サーブ」されるセルは、ＵＥに対して設定される、またはＵＥが接続されるなどのセルであってよい。ＬＴＥの用語では、これはプライマルセルおよびセカンダリセル両方を含むことが考えられる。また、ＵＥのプライマリセルまたはプライマリセカンダリセルなどの特定のセルであってよい。ＬＴＥでは、プライマリセルという用語がマスタセルグループと関連付けられたセルに使用され、プライマリセカンダリセルがセカンダリセルグループと関連付けられたセルに使用される用語であることは留意されたい。ある意味では、これらのセルは両方共、それらの対応するセルグループのプライマリセルである。
【００６１】
場合によっては、ＵＥは、ＣＡの場合など、アイドルモードに移る前に複数のセルによって設定されてよい。ＵＥが複数のセルを有する場合に、ＵＥは、ＵＥが測定を停止するべきか否かを判断する時、またはＵＥが測定し続けるものとするかどうかを判断する時、セルのセットを考慮することができる。これを例証するために、ＵＥが、アイドルモードに入る前にセルＡ、Ｂ、およびＣで設定されたシナリオを検討する。ＵＥがセルＡ、Ｂ、およびＣの全てのカバレッジ以外にある時はいつでも、またはＵＥがセルＡ、Ｂ、またはＣのいずれかにキャンプオンしていない時、またはこれらのセル全てが閾値を下回る信号強度／品質を有する時、ＵＥは測定を停止する。
【００６２】
別の例では、ＵＥは、複数のセルのいずれかが条件を満たす時、またはＵＥがセルＡ、Ｂ、またはＣのいずれかのカバレッジ以外に移る時、測定を停止する。ＵＥは、上記の評価を行う時、一定の（複数の）セルのみを考慮してよい。例えば、ＵＥは、プライマリセルおよびプライマリセカンダリセルのみを考慮してよい。
【００６３】
一般に、アイドルモードと接続モードとの間の状態遷移によって上述されたことはまた、他の同様の遷移「非アクティブ」または「中断」と接続モードとの間の状態遷移に適用可能であることは留意されたい。場合によっては、ＵＥは、異なる状態には異なって機能する。例えば、ＵＥは中断／非アクティブ状態においてＣＡ／ＤＣ確立の支援のために測定を行ってよいが、ＵＥがアイドル状態に移る場合、ＵＥはこれらの測定を行わない。
【００６４】
追加の実装形態
場合によっては、ｅＮＢは、ＵＥ、ならびにこの過去のマルチキャリア動作および／または測定を記憶する。例えば、ｅＮＢは、ＵＥをアイドルモードへと解除する時ＵＥに対するＣＡ／ＤＣ動作に関連している一部のコンテキスト情報を格納してよい。このコンテキスト情報は、例えば、ＵＥがアイドルへと解除された時ＣＡ／ＤＣ動作のためにＵＥによって使用されるセル／周波数を特定する情報を含んでよい。ｅＮＢは、この情報を使用して、ＵＥが、解除後すぐに、接続の確立を再び要求する場合にこのＵＥに対してＣＡ／ＤＣについてのセルおよびキャリアを選択する時に支援することができる。ｅＮＢによって格納されるこのコンテキスト情報は、ＵＥと関連付けられた識別子によって特定される。識別子は、ＲＲＣ接続要求メッセージにおいてＵＥによって指示されるＳ−ＴＭＳＩ（ＳＡＥ−Ｔｅｍｐｏｒａｒｙ  Ｍｏｂｉｌｅ  Ｓｕｂｓｃｒｉｂｅｒ  Ｉｄｅｎｔｉｔｙ）であってよい。ｅＮＢは、ＵＥのＣＡ／ＤＣ動作のために設定するセルはどれかを判断する時、典型的には、ＵＥの最後のＣＡ／ＤＣ動作時と同じセルにＵＥがアクセスする時にこの知識を考慮してよい。
【００６５】
ｅＮＢは、ＵＥが解除された後の一定の時間Ｔで、またはＵＥが異なるセルにアクセスする場合に、情報を廃棄してよい。これには、ＵＥがｅＮＢのカバレッジから離れ、ＵＥが同じセルに戻らない可能性が最も高くなる場合にｅＮＢメモリをクリアする利点がある。
【００６６】
処理回路構成３２、５２が、プログラムおよびデータメモリ４４、６４に格納されたプログラムコードによって適合されるように、機能「モジュール」の配置を使用して上述される無線デバイス関連またはネットワークノード関連の方法のいずれか１つまたは複数を実装可能であり、この場合、モジュールは、プロセッサ回路構成３２、５２上で実行するコンピュータプログラムまたはコンピュータプログラムの一部分であることは、理解されるであろう。例えば、図１３は、例えば、処理回路構成５２に基づいて無線デバイス５０において実装可能であるような、例示の機能モジュールまたは回路アーキテクチャを示す。実装形態は、アイドルモードまたは非アクティブ状態にある間に、１つまたは複数のセルおよび／またはビームおよび／またはキャリアに対する測定を実行するための測定モジュール１３０２を含む。実装形態は、測定に基づいて、マルチキャリア動作の確立を支援するための情報を判断するための判断モジュール１３０４、および情報を無線通信ネットワークに送信するための送信モジュール１３０６も含む。
【００６７】
図１４は、無線通信ネットワークにおけるマルチキャリア動作に対して設定される無線デバイスにおけるアーキテクチャの別の機能的な実装形態を示す。実装形態は、マルチキャリア動作に使用される１つまたは複数のセルおよび／またはビームおよび／またはキャリアについての情報を格納するための格納モジュール１４０２と、アイドルモードまたは非アクティブ状態になった後の接続確立時に、過去にマルチキャリア動作に使用された１つまたは複数のセルおよび／またはビームおよび／またはキャリアが無線デバイスに利用可能であることを判断するための判断モジュール１４０４とを含む。実装形態はまた、１つまたは複数のセルおよび／またはビームおよび／またはキャリアがマルチキャリア動作のために無線デバイスに対して再び利用可能であるという指示を送信するための送信モジュール１４０６を含む。
【００６８】
図１５は、例えば、処理回路構成３２に基づいてネットワークノード３０において実装可能であるような、無線デバイスのマルチキャリア動作を支援するための例示の機能モジュールまたは回路アーキテクチャを示す。実装形態は、無線デバイスから、１つまたは複数のセルおよび／またはビームおよび／またはキャリアについての測定情報を受信するための受信モジュール１５０２を含む。実装形態は、受信した測定情報に基づいて、無線デバイスによるマルチキャリア動作に対して１つまたは複数のセルおよび／またはビームおよび／またはキャリアを選択するための選択モジュール１５０４も含む。実装形態は、選択されたセルおよび／またはビームおよび／またはキャリアを使用して無線デバイスに対するマルチキャリア動作を確立するための確立モジュール１５０６をさらに含む。
【００６９】
図１６は、無線デバイスのマルチキャリア動作を支援するためのネットワークノードにおけるアーキテクチャの別の機能的な実装形態を示す。実装形態は、無線デバイスによる接続確立時に、無線デバイスがマルチキャリア動作の間にネットワークノードに過去に接続されたことを判断するための判断モジュール１６０２を含む。実装形態は、この判断に応答して、マルチキャリア動作による無線デバイスの過去の動作に関連する格納した情報を使用して、マルチキャリア動作に対して無線デバイスを設定するために１つまたは複数のセルおよび／またはビームおよび／またはキャリアを特定するための設定モジュール１６０４も含む。
【００７０】
例示の実施形態
上で提供される詳細な論述および例を考慮して、本開示の技法および装置の例示の実施形態が、以下の列挙される実施例を含むがこれらに限定されないことは理解されるであろう。
【００７１】
ａ）無線通信ネットワークにおけるマルチキャリア動作に対して設定される無線デバイスであって、
マルチキャリア通信のために設定される送受信回路構成と、
送受信回路構成と動作可能に関連付けられ、
アイドルモードまたは非アクティブ状態にある間に１つまたは複数のセルおよび／またはビームおよび／またはキャリアに対する測定を実行するように、
この測定に基づいて、マルチキャリア動作の確立を支援するための情報を判断するように、および、
この情報を無線通信ネットワークに送信するように設定される、処理回路構成と、を含む、無線デバイス。
【００７２】
ｂ）情報は、セルおよび／またはビームおよび／またはキャリアの１つまたは複数に対する信号レベルおよび／または品質についての測定値を含む、実施形態ａ）の無線デバイス。
【００７３】
ｃ）処理回路構成は、条件的に、情報において、１つまたは複数の所定の閾値条件を満たす測定値を含むことによって、情報を判断するように設定される、実施形態ｂ）の無線デバイス。
【００７４】
ｄ）１つまたは複数のセルおよび／またはビームおよび／またはキャリアに対する測定を実行することは、無線デバイスがアイドルモードまたは非アクティブ状態に入る時または入るための命令を受信する時に開始する所定の時間の間、測定を行うことを含む、実施形態ａ）からｃ）のいずれか一つに記載の無線デバイス。
【００７５】
ｅ）処理回路構成は、一定の条件下でのみ測定を行い続けることによって１つまたは複数のセルおよび／またはビームおよび／またはキャリアに対する測定を実行するように設定され、一定の条件は、無線デバイスがアイドルまたは非アクティブになる前に無線デバイスが接続された１つまたは複数のセルのカバレッジ内に無線デバイスがあること、無線デバイスがアイドルまたは非アクティブになる前に無線デバイスが接続された１つまたは複数のセルに無線デバイスが依然としてキャンプオンしていること、および無線デバイスがアイドルまたは非アクティブになる前に無線デバイスがサーブされた１つまたは複数のセルの信号が依然として閾値を満たす信号強度および／または品質レベルを有することのうちの１つまたは複数を含む、実施形態ａ）からｃ）のいずれか一つに記載の無線デバイス。
【００７６】
ｆ）処理回路構成は、接続モードまたはアクティブモードにある間の無線通信ネットワークから、アイドルモードまたは非アクティブ状態にある間にどのセルおよび／またはビームおよび／またはキャリアを測定するべきかという指示を受信するように、および指示されたセルおよび／またはキャリアに対する測定を実行するように設定される、実施形態ａ）からｅ）のいずれか一つに記載の無線デバイス。
【００７７】
ｇ）処理回路構成は、過去のマルチキャリア動作において使用されたセルおよび／またはビームおよび／またはキャリアに対する測定を実行することによって１つまたは複数のセルおよび／またはビームおよび／またはキャリアに対する測定を実行するように設定される、実施形態ａ）からｆ）のいずれか一つに記載の無線デバイス。
【００７８】
ｈ）処理回路構成は、１つまたは複数の測定が所定の閾値条件を満たすかどうかの判断が条件付けられた接続確立シグナリングにおいて情報を送信するように設定される、実施形態ａ）からｇ）のいずれか一つに記載の無線デバイス。
【００７９】
ｉ）処理回路構成は、無線通信ネットワークから、無線デバイスが接続確立シグナリングにおいて情報を送信すべきであるという指示を無線デバイスが受信しているとの判断時にのみ、接続確立シグナリングにおいて情報を送信するように設定される、実施形態ａ）からｈ）のいずれか一つに記載の無線デバイス。
【００８０】
ｊ）処理回路構成は、無線通信ネットワークへの接続確立シグナリングにおいて情報を送信するように設定される、実施形態ａ）からｉ）のいずれか一つに記載の無線デバイス。
【００８１】
ｋ）処理回路構成は、接続要求メッセージにおいて情報を送信するように設定される、実施形態ｊ）に記載の無線デバイス。
【００８２】
ｌ）処理回路構成は、接続セットアップ完了メッセージにおいて情報を送信するように設定される、実施形態ｊ）に記載の無線デバイス。
【００８３】
ｍ）無線通信ネットワークにおける無線デバイスのマルチキャリア動作を支援するように設定されるネットワークノードであって、
マルチキャリア動作において無線デバイスと通信するように設定される送受信回路構成と、
送受信回路構成と動作可能に関連付けられ、
無線デバイスから、１つまたは複数のセルおよび／またはビームおよび／またはキャリアについての測定情報を受信することであって、測定情報は、アイドルモードまたは非アクティブ状態にある間に無線デバイスによって行われる測定に関連している、受信すること、
受信した測定情報に基づいて、無線デバイスによるマルチキャリア動作のために１つまたは複数のセルおよび／またはビームおよび／またはキャリアを選択すること、および
選択されたセルおよび／またはビームおよび／またはキャリアを使用して無線デバイスに対するマルチキャリア動作を確立すること、を行うように設定される、処理回路構成と、を含む、ネットワークノード。
【００８４】
ｎ）処理回路構成は、測定情報の受信の前に、無線デバイスに、アイドル状態中および／または非アクティブ状態中にどのセルおよび／またはビームおよび／またはキャリアを測定するべきかという指示を送信するように設定される、実施形態ｍ）に記載のネットワークノード。
【００８５】
ｏ）処理回路構成は、測定情報の受信の前に、無線デバイスに、アイドル状態中および／または非アクティブ状態中に、過去にマルチキャリア動作に使用されたセルおよび／またはビームおよび／またはキャリアに対する測定を実行することの指示を送信するように設定される、実施形態ｍ）に記載のネットワークノード。
【００８６】
ｐ）処理回路構成は、セルおよび／またはビームおよび／またはキャリアの１つまたは複数に対する信号レベルおよび／または品質についての測定値を受信することによって、測定情報を受信するように設定される、実施形態ｍ）からｏ）のいずれか一つに記載のネットワークノード。
【００８７】
ｑ）処理回路構成は、無線通信ネットワークへの接続確立シグナリングにおいて測定情報を受信することによって測定情報を受信するように設定される、実施形態ｍ）からｏ）のいずれか一つに記載のネットワークノード。
【００８８】
ｒ）処理回路構成は、接続要求メッセージにおいて測定情報を受信するように設定される、実施形態ｑ）に記載のネットワークノード。
【００８９】
ｓ）処理回路構成は、接続セットアップ完了メッセージにおいて測定情報を受信するように設定される、実施形態ｑ）に記載のネットワークノード。
【００９０】
ｔ）無線通信ネットワークにおけるマルチキャリア動作に対して設定される無線デバイスであって、
マルチキャリア通信のために設定される送受信回路構成と、
送受信回路構成と動作可能に関連付けられ、
マルチキャリア動作に使用される１つまたは複数のセルおよび／またはビームおよび／またはキャリアについての情報を格納するように、
アイドルモードまたは非アクティブ状態になった後の接続確立時に、過去にマルチキャリア動作に使用された１つまたは複数のセルおよび／またはビームおよび／またはキャリアが無線デバイスに利用可能であることを判断するように、および
１つまたは複数のセルおよび／またはビームおよび／またはキャリアがマルチキャリア動作のために無線デバイスに対して再び利用可能であるという指示を送信するように設定される、処理回路構成と、を含む、無線デバイス。
【００９１】
ｕ）無線通信ネットワークにおいてマルチキャリア動作をサポートするように設定されるネットワークノードであって、
マルチキャリア動作において無線デバイスと通信するように設定される送受信回路構成と、
送受信回路構成と動作可能に関連付けられ、
無線デバイスによる接続確立時に、無線デバイスがマルチキャリア動作の間にネットワークノードに過去に接続されたことを判断するように、および
この判断に応答して、マルチキャリア動作による無線デバイスの過去の動作に関連する格納した情報を使用して、マルチキャリア動作に対して無線デバイスを設定するために１つまたは複数のセルおよび／またはビームおよび／またはキャリアを特定するように設定される、処理回路構成と、を含む、ネットワークノード。
【００９２】
ｖ）処理回路構成は、特定された１つまたは複数のセルおよび／またはビームおよび／またはキャリアを使用してマルチキャリア動作に対して無線デバイスを設定するように設定される、実施形態ｕ）に記載のネットワークノード。
【００９３】
ｗ）処理回路構成は、特定された１つまたは複数のセルおよび／またはビームおよび／またはキャリアがマルチキャリア動作のために無線デバイスに再び利用可能であるという指示を無線デバイスから受信することに応答して無線デバイスを設定するように設定される、実施形態ｕ）に記載のネットワークノード。
【００９４】
ｘ）無線通信ネットワークにおけるマルチキャリア動作に対して設定される無線デバイスであって、
アイドルモードまたは非アクティブ状態にある間に、１つまたは複数のセルおよび／またはビームおよび／またはキャリアに対する測定を実行するための実行モジュールと、
測定に基づいて、マルチキャリア動作の確立を支援するための情報を判断するための判断モジュールと、
情報を無線通信ネットワークに送信するための送信モジュールと、を含む、無線デバイス。
【００９５】
ｙ）無線通信ネットワークにおいて無線デバイスによるマルチキャリア動作を支援するように設定されるネットワークノードであって、
無線デバイスから、１つまたは複数のセルおよび／またはビームおよび／またはキャリアについての測定情報を受信するための受信モジュールと、
受信した測定情報に基づいて、無線デバイスによるマルチキャリア動作に対して１つまたは複数のセルおよび／またはビームおよび／またはキャリアを選択するための選択モジュールと、
選択されたセルおよび／またはビームおよび／またはキャリアを使用して無線デバイスに対するマルチキャリア動作を確立するための確立モジュールと、を含む、ネットワークノード。
【００９６】
ｚ）無線通信ネットワークにおけるマルチキャリア動作に対して設定される無線デバイスであって、
マルチキャリア動作に使用される１つまたは複数のセルおよび／またはビームおよび／またはキャリアについての情報を格納するための格納モジュールと、
アイドルモードまたは非アクティブ状態になった後の接続確立時に、過去にマルチキャリア動作に使用された１つまたは複数のセルおよび／またはビームおよび／またはキャリアが無線デバイスに利用可能であることを判断するための判断モジュールと、
１つまたは複数のセルおよび／またはビームおよび／またはキャリアがマルチキャリア動作のために無線デバイスに対して再び利用可能であるという指示を送信するための送信モジュールと、を含む、無線デバイス。
【００９７】
ｚｚ）無線通信ネットワークにおいてマルチキャリア動作をサポートするように設定されるネットワークノードであって、
無線デバイスによる接続確立時に、無線デバイスがマルチキャリア動作の間にネットワークノードに過去に接続されたことを判断するための判断モジュールと、
この判断に応答して、マルチキャリア動作による無線デバイスの過去の動作に関連する格納した情報を使用して、マルチキャリア動作に対して無線デバイスを設定するために１つまたは複数のセルおよび／またはビームおよび／またはキャリアを特定するための設定モジュールと、を含む、ネットワークノード。
【００９８】
本発明の範囲から逸脱することなく上述した実施形態に対してさまざまな修正がなされてよいことは、当業者には理解されるであろう。例えば、本発明の実施形態は、３ＧＰＰ指定のＬＴＥまたはＮＲ標準に準拠する通信システムを参照する例によって説明されているが、提示される解決策が、他のネットワークに、これらの設計および能力に応じて同様に良好に適用可能であってよいことは、留意されるべきである。
【図１】
2020530231.tif 000003
【図２】
2020530231.tif 000004
【図３】
2020530231.tif 000005
【図４】
2020530231.tif 000006
【図５】
2020530231.tif 000007
【図６】
2020530231.tif 000008
【図７】
2020530231.tif 000009
【図８】
2020530231.tif 000010
【図９】
2020530231.tif 000011
【図１０】
2020530231.tif 000012
【図１１】
2020530231.tif 000013
【図１２】
2020530231.tif 000014
【図１３】
2020530231.tif 000015
【図１４】
2020530231.tif 000016
【図１５】
2020530231.tif 000017
【図１６】
2020530231.tif 000018
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
無線通信ネットワークにおけるマルチキャリア動作に対して設定される無線デバイス（５０）における方法であって、
アイドルモードまたは非アクティブ状態にある間に、１つまたは複数のセルおよび／またはビームおよび／またはキャリアに対する測定を実行すること（７０２）と、
前記測定に基づいて、マルチキャリア動作の確立を支援するための情報を判断すること（７０４）と、
前記情報を前記無線通信ネットワークに送信すること（７０６）と
を含む、方法。
【請求項２】
前記情報は、前記セルおよび／またはビームおよび／またはキャリアの１つまたは複数に対する信号レベルおよび／または品質についての測定値を含む、請求項１に記載の方法。
【請求項３】
前記情報を判断すること（７０４）は、条件的に、前記情報において、１つまたは複数の所定の閾値条件を満たす測定値を含むことを含む、請求項２に記載の方法。
【請求項４】
１つまたは複数のセルおよび／またはビームおよび／またはキャリアに対する測定を実行すること（７０２）は、前記無線デバイスが前記アイドルモードまたは前記非アクティブ状態に入る時または入るための命令を受信する時に開始する所定の時間の間、前記測定を行うことを含む、請求項１から３のいずれか一項に記載の方法。
【請求項５】
１つまたは複数のセルおよび／またはビームおよび／またはキャリアに対する測定を実行すること（７０２）は、一定の条件下でのみ前記測定を行い続けることを含み、前記一定の条件は、
前記無線デバイスがアイドルまたは非アクティブになる前に前記無線デバイスが接続された、１つまたは複数のセルのカバレッジ内に前記無線デバイスがあること、
前記無線デバイスがアイドルまたは非アクティブになる前に前記無線デバイスが接続された、１つまたは複数のセルに前記無線デバイスが依然としてキャンプオンしていること、および
前記無線デバイスがアイドルまたは非アクティブになる前に無線デバイスがサーブされた、１つまたは複数のセルの信号が、依然として閾値を満たす信号強度および／または品質レベルを有すること
のうちの１つまたは複数を含む、請求項１から３のいずれか一項に記載の方法。
【請求項６】
接続モードまたはアクティブモードにある間の前記無線通信ネットワークから、アイドルモードまたは非アクティブ状態にある間にどのセルおよび／またはビームおよび／またはキャリアを測定するべきかという指示を受信することをさらに含み、１つまたは複数のセルおよび／またはビームおよび／またはキャリアに対する測定を実行することは、指示された前記セルおよび／または前記キャリアに対する前記測定を行うことを含む、請求項１から５のいずれか一項に記載の方法。
【請求項７】
１つまたは複数のセルおよび／またはビームおよび／またはキャリアに対する測定を実行すること（７０２）は、過去のマルチキャリア動作において使用されたセルおよび／またはビームおよび／またはキャリアに対する前記測定を行うことを含む、請求項１から６のいずれか一項に記載の方法。
【請求項８】
接続確立シグナリングにおける前記情報の送信（７０６）は、１つまたは複数の測定が所定の閾値条件を満たすかどうかの判断が条件付けられている、請求項１から７のいずれか一項に記載の方法。
【請求項９】
前記情報の送信（７０６）は、前記無線通信ネットワークから、前記無線デバイスが接続確立シグナリングにおいて前記情報を送信すべきであるという指示を前記無線デバイスが受信していると判断すると、前記接続確立シグナリングにおいて前記情報を送信することを含む、請求項１から８のいずれか一項に記載の方法。
【請求項１０】
前記情報を送信すること（７０６）は、前記無線通信ネットワークへ接続確立シグナリングにおいて前記情報を送信することを含む、請求項１から９のいずれか一項に記載の方法。
【請求項１１】
前記接続確立シグナリングにおいて前記情報を送信すること（７０６）は、接続要求メッセージまたは接続セットアップ完了メッセージにおいて前記情報を送信することを含む、請求項１０に記載の方法。
【請求項１２】
無線通信ネットワークにおける無線デバイス（５０）のマルチキャリア動作を支援するように設定されるネットワークノード（３０）における方法であって、
前記無線デバイス（５０）から、１つまたは複数のセルおよび／またはビームおよび／またはキャリアについての測定情報を受信すること（１００２）であって、前記測定情報は、アイドルモードまたは非アクティブ状態にある間に前記無線デバイス（５０）によって行われる測定に関連している、測定情報を受信することと、
受信した前記測定情報に基づいて、前記無線デバイス（５０）によるマルチキャリア動作のために１つまたは複数のセルおよび／またはビームおよび／またはキャリアを選択すること（１００４）と、
選択された前記セルおよび／またはビームおよび／またはキャリアを使用して、前記無線デバイス（５０）に対するマルチキャリア動作を確立すること（１００６）と
を含む、方法。
【請求項１３】
前記測定情報の受信の前に前記無線デバイス（５０）に、アイドル状態中および／または非アクティブ状態中にどのセルおよび／またはビームおよび／またはキャリアを測定するべきかという指示を送信することをさらに含む、請求項１２に記載の方法。
【請求項１４】
前記測定情報の受信の前に、前記無線デバイス（５０）に、アイドル状態中および／または非アクティブ状態中に、過去にマルチキャリア動作に使用されたセルおよび／またはビームおよび／またはキャリアに対する測定を実行することの指示を送信することをさらに含む、請求項１２に記載の方法。
【請求項１５】
前記測定情報を受信すること（１００２）は、前記セルおよび／またはビームおよび／またはキャリアの１つまたは複数に対する信号レベルおよび／または品質についての測定値を受信することを含む、請求項１２から１４のいずれか一項に記載の方法。
【請求項１６】
前記測定情報を受信すること（１００２）は、前記無線通信ネットワークへの接続確立シグナリングにおいて前記測定情報を受信することを含む、請求項１２から１４のいずれか一項に記載の方法。
【請求項１７】
前記接続確立シグナリングにおいて前記測定情報を受信すること（１００２）は、接続要求メッセージまたは接続セットアップ完了メッセージにおいて前記測定情報を受信することを含む、請求項１６に記載の方法。
【請求項１８】
無線通信ネットワークにおけるマルチキャリア動作に対して設定される無線デバイス（５０）であって、
アイドルモードまたは非アクティブ状態にある間に、１つまたは複数のセルおよび／またはビームおよび／またはキャリアに対する測定を実行し、
前記測定に基づいて、マルチキャリア動作の確立を支援するための情報を判断し、
前記情報を前記無線通信ネットワークに送信する
ように適合される、無線デバイス（５０）。
【請求項１９】
無線通信ネットワークにおける無線デバイス（５０）のマルチキャリア動作を支援するように設定されるネットワークノード（３０）であって、
前記無線デバイス（５０）から、１つまたは複数のセルおよび／またはビームおよび／またはキャリアについての測定情報を受信することであって、前記測定情報は、アイドルモードまたは非アクティブ状態にある間に前記無線デバイス（５０）によって行われる測定に関連している、受信すること、
受信した前記測定情報に基づいて、前記無線デバイス（５０）によるマルチキャリア動作のために１つまたは複数のセルおよび／またはビームおよび／またはキャリアを選択すること、および
選択された前記セルおよび／またはビームおよび／またはキャリアを使用して、前記無線デバイス（５０）に対するマルチキャリア動作を確立すること
を行うように適合される、ネットワークノード（３０）。
【国際調査報告】
2020530231.tif 000019
2020530231.tif 000020
2020530231.tif 000021
2020530231.tif 000022